(57)【要約】【課題】ユーザにより異なる骨盤の歪みの状態に応じて、その歪みを矯正するために、骨盤の適切な領域に対し、適切な方向及び適切な強さの外力を加えることを可能とする。【解決手段】サポータ１は、ユーザの腰周りに巻き付けるように装着される人体接触サポータ２と、人体接触サポータ２の外側面に取り付けられた矯正翼３を備える。人体接触サポータ２の外側面の概ね全領域には雌の面ファスナが設けられている。矯正翼３の内側面には、右端から中央に向かい面ファスナ７ａ、７ｃ、７ｅが、左端から中央に向かい面ファスナ７ｂ、７ｄ、７ｆが、各々、離間して並んで設けられている。これらの面ファスナは雄の面ファスナである。例えば施術者は、人体接触サポータ２の外側面の適切な互いに離間した複数の領域に面ファスナ７ａ〜７ｆの各々を結合することで、ユーザの骨盤の歪みに応じた適切な領域に、適切な方向及び適切な強さの力を加えることができる。【選択図】図１
2020044318.tif 000002
【特許請求の範囲】
【請求項１】
ユーザの腰周りに巻き付けられる帯状の部材である第１帯状部材と、
前記第１帯状部材が前記ユーザの腰周りに巻き付けられた状態において、前記第１帯状部材の前記ユーザの腰部に対向する側の面である内側面に設けられた面ファスナである第１面ファスナと、
前記第１帯状部材が前記ユーザの腰周りに巻き付けられた状態において、前記第１帯状部材の前記ユーザの腰部に対向しない側の面である外側面に設けられ前記第１面ファスナと結合する面ファスナである第２面ファスナと、
前記第１帯状部材の外側面のうち前記第２面ファスナが設けられた領域と異なる領域に設けられた面ファスナである第３面ファスナと、
前記ユーザの腰周りに巻き付けられた状態の前記第１帯状部材の腰周りの方向における弾性よりも、少なくとも一の方向において高い弾性を有する帯状の部材である第２帯状部材と、
前記第２帯状部材の一方の面である内側面に、前記一の方向に離間して並んで設けられた複数の面ファスナであって、各々が前記第３面ファスナと結合する複数の面ファスナで構成される面ファスナ群と
を備え、
前記面ファスナ群を構成する複数の面ファスナの各々が前記第３面ファスナの互いに離間する任意の複数の領域の各々と結合され、前記第１帯状部材が前記ユーザの腰周りに巻き付けられて前記第１面ファスナと前記第２面ファスナの結合により前記ユーザの腰周りに固定された状態において、前記第２帯状部材の弾性によって、前記ユーザの骨盤の特定の領域に特定の方向及び特定の強さの外力を加える
ことを特徴とする骨盤矯正器具。
【請求項２】
前記面ファスナ群を構成する複数の面ファスナは、前記第３面ファスナのうち、前記第１帯状部材が前記ユーザの腰周りに巻き付けられた状態において前記ユーザから見て、左側に位置する領域と結合する複数の面ファスナで構成される左側面ファスナ群と、右側に位置する領域と結合する複数の面ファスナで構成される右側面ファスナ群とで構成される
請求項１に記載の骨盤矯正器具。
【請求項３】
前記左側面ファスナ群は３つ以上の面ファスナで構成され、
前記右側面ファスナ群は３つ以上の面ファスナで構成されている
請求項２に記載の骨盤矯正器具。
【請求項４】
前記第２帯状部材の内側面の前記一の方向における中央位置を含む領域に設けられ、前記第３面ファスナと結合する面ファスナである第４面ファスナを備える請求項２又は３に記載の骨盤矯正器具。
【請求項５】
前記第２帯状部材は前記一の方向における中央位置を含む領域において、前記第１帯状部材に固着されている請求項２又は３に記載の骨盤矯正器具。
【請求項６】
前記第２面ファスナと前記第３面ファスナが連続している請求項１乃至５のいずれか１項に記載の骨盤矯正器具。
【発明の詳細な説明】
【技術分野】
【０００１】
本発明は、骨盤の歪みを矯正する器具に関する。
【背景技術】
【０００２】
腰痛や腰部の疲労からの回復を促進するために、骨盤の歪みを矯正する器具が知られている。
【０００３】
例えば、特許文献１には、少なくとも長手方向に伸縮自在に形成され、外側の全面にパイル状の面ファスナーが配設されるとともに、内側の一端には、パイル状の面ファスナーに係合する鉤状の面ファスナーが配設された太帯体と、少なくとも長手方向に伸縮自在で、太帯体よりも幅狭で長手方向が短く形成され、内面の両端には、太帯体のパイル状の面ファスナーに係合する鉤状の面ファスナーが配設された細帯体と、雌ホック（又は雄ホック）が太帯体の外面の中央部分に配設され、雄ホック（又は雌ホック）が細帯体の内面の中央部分に配設されて、細帯体を太帯体に対して着脱自在かつ回動自在に係着する雌雄ホックよりなる係着部材とを備える健康帯が提案されている。
【０００４】
特許文献１に記載の健康帯のユーザは、太帯体を背中側から胴部に巻回し、腹部にて各面ファスナーを係合させて身体の腰部に装着した後、細帯体を背中側から所望の強さに調節して引張し、その両端に設けられた鉤状の面ファスナーを太帯体のパイル状の面ファスナーに係合させることで、腰部を太帯体で締め付けるとともに、細帯体により締め付けの強さを調節することができる。
【０００５】
特許文献１に記載の健康帯のユーザは、細帯体を太帯体に対し、係着部材を中心に回動させて太帯体に斜めに係合させることによって、腰部が斜めに締め付けられる状態とすることができる。また、特許文献１に記載の健康帯のユーザは、細帯体を係着部材を介して長手方向に左右異なる強さで引張することによって、腰部が左右異なる強さで締め付けられる状態とすることができる。さらに、係着部材の一方が太帯体の外面に複数配設されている構成を採用すれば、太帯体に対する細帯体の係着位置が変更可能となり、腰部の矯正すべき箇所に対応した締め付けが可能となる。
【先行技術文献】
【特許文献】
【０００６】
【特許文献１】登録実用新案第３０１７３０６号公報
【発明の概要】
【発明が解決しようとする課題】
【０００７】
特許文献１に記載の健康帯による場合、ユーザは、細帯体の両端に設けられた鉤状の面ファスナーを、太帯体のパイル状の面ファスナーのどの位置に係合させるかによって、腰部の締め付けの方向及び強さを調整することができる。ただし、特許文献１に記載の健康帯において、細帯体と太帯体は各々の固定位置に配設された雄ホックと雌ホックの係着により連結されている。従って、特許文献１に記載の健康帯による場合、腰部の左右各々における締め付けの一方の端点は、細帯体と太帯体の係着位置となり、これを変更することはできない。
【０００８】
係着部材の一方（以下、雌ホックとする）が太帯体の外面に複数配設されている構成においても、細帯体に配設された雄ホックは、太帯体に配設された複数の雌ホックの中から選択された１つの雌ホックと係着されるため、その係着位置が左右各々における締め付けの一方の端点となり、その一方の端点を任意の位置に変更することはできない。
【０００９】
従って、特許文献１に記載の健康帯による場合、ユーザにより異なる骨盤の歪みの状態に応じて、その歪みを矯正するために、骨盤の適切な領域に対し、適切な方向及び適切な強さの外力を加えることはできない。
【００１０】
上記の課題に鑑みて、本発明は、ユーザにより異なる骨盤の歪みの状態に応じて、その歪みを矯正するために、骨盤の適切な領域に対し、適切な方向及び適切な強さの外力を加えることを可能とする手段を提供する。
【課題を解決するための手段】
【００１１】
上記の課題を解決するため、本発明は、ユーザの腰周りに巻き付けられる帯状の部材である第１帯状部材と、前記第１帯状部材が前記ユーザの腰周りに巻き付けられた状態において、前記第１帯状部材の前記ユーザの腰部に対向する側の面である内側面に設けられた面ファスナである第１面ファスナと、前記第１帯状部材が前記ユーザの腰周りに巻き付けられた状態において、前記第１帯状部材の前記ユーザの腰部に対向しない側の面である外側面に設けられ前記第１面ファスナと結合する面ファスナである第２面ファスナと、前記第１帯状部材の外側面のうち前記第２面ファスナが設けられた領域と異なる領域に設けられた面ファスナである第３面ファスナと、前記ユーザの腰周りに巻き付けられた状態の前記第１帯状部材の腰周りの方向における弾性よりも、少なくとも一の方向において高い弾性を有する帯状の部材である第２帯状部材と、前記第２帯状部材の一方の面である内側面に、前記一の方向に離間して並んで設けられた複数の面ファスナであって、各々が前記第３面ファスナと結合する複数の面ファスナで構成される面ファスナ群とを備え、前記面ファスナ群を構成する複数の面ファスナの各々が前記第３面ファスナの互いに離間する任意の複数の領域の各々と結合され、前記第１帯状部材が前記ユーザの腰周りに巻き付けられて前記第１面ファスナと前記第２面ファスナの結合により前記ユーザの腰周りに固定された状態において、前記第２帯状部材の弾性によって、前記ユーザの骨盤の特定の領域に特定の方向及び特定の強さの外力を加えることを特徴とする骨盤矯正器具を第１の態様として提案する。
【００１２】
また、本発明は、上記の第１の態様に係る骨盤矯正器具であって、前記面ファスナ群を構成する複数の面ファスナは、前記第３面ファスナのうち、前記第１帯状部材が前記ユーザの腰周りに巻き付けられた状態において前記ユーザから見て、左側に位置する領域と結合する複数の面ファスナで構成される左側面ファスナ群と、右側に位置する領域と結合する複数の面ファスナで構成される右側面ファスナ群とで構成される骨盤矯正器具を第２の態様として提案する。
【００１３】
また、本発明は、上記の第２の態様に係る骨盤矯正器具であって、前記左側面ファスナ群は３つ以上の面ファスナで構成され、前記右側面ファスナ群は３つ以上の面ファスナで構成されている骨盤矯正器具を第３の態様として提案する。
【００１４】
また、本発明は、上記の第２又は第３の態様に係る骨盤矯正器具であって、前記第２帯状部材の内側面の前記一の方向における中央位置を含む領域に設けられ、前記第３面ファスナと結合する面ファスナである第４面ファスナを備える骨盤矯正器具を第４の態様として提案する。
【００１５】
また、本発明は、上記の第２又は第３の態様に係る骨盤矯正器具であって、前記第２帯状部材は前記一の方向における中央位置を含む領域において、前記第１帯状部材に固着されている骨盤矯正器具を第５の態様として提案する。
【００１６】
また、本発明は、上記の第１乃至第５のいずれかの態様に係る骨盤矯正器具であって、前記第２面ファスナと前記第３面ファスナが連続している骨盤矯正器具を第６の態様として提案する。
【発明の効果】
【００１７】
上記の第１の態様に係る骨盤矯正器具によれば、第１帯状部材の外側面に設けられた第３面ファスナの適切な複数の互いに離間する領域の各々に、高い弾性を有する第２帯状部材の内側面に互いに離間して並んで設けられた複数の面ファスナの各々が結合された状態の骨盤矯正器具をユーザの腰周りに装着することによって、当該ユーザの骨盤の歪みを矯正するために、骨盤の適切な領域に対し、適切な方向及び適切な強さの外力を加えることができる。
【００１８】
上記の第２の態様に係る骨盤矯正器具によれば、ユーザの骨盤の左側部分と右側部分の各々に関し、それらの部分の各々の歪みに応じた適切な領域に対し、適切な方向及び適切な強さの外力を同時に加えることができる。
【００１９】
上記の第３の態様に係る骨盤矯正器具によれば、左側部分と右側部分の各々に関し、複数の領域に対し各々異なる方向及び強さの外力を同時に加えることができるため、左側面ファスナ群と右側面ファスナ群の各々が２つの面ファスナで構成されている場合と比較し、より効果的に骨盤の歪みを矯正できる。
【００２０】
上記の第４の態様に係る骨盤矯正器具によれば、第３面ファスナと第４面ファスナを結合することで、第１帯状部材と第２帯状部材がばらならにならず、それらの一方のみの紛失が生じにくい。
【００２１】
上記の第５の態様に係る骨盤矯正器具によれば、第１帯状部材と第２帯状部材がばらならにならず、それらの一方のみの紛失が生じにくい。
【００２２】
上記の第６の態様に係る骨盤矯正器具によれば、第２面ファスナと第３面ファスナが分離している場合と比較し、第１帯状部材に第２面ファスナ及び第３面ファスナを設けるための加工が容易である。
【図面の簡単な説明】
【００２３】
【図１】本発明の一実施形態に係るサポータを後方から見た図。
【図２】本発明の一実施形態に係る人体接触サポータの、装着時にユーザの腰部に対向する側を見た図である。
【図３】本発明の一実施形態に係る矯正翼の、装着時にユーザの腰部に対向する側を見た図。
【図４】本発明の一実施形態に係るサポータがユーザの腰周りに装着された状態を模式的に示した図。
【発明を実施するための形態】
【００２４】
［実施形態］
図１は、本発明の一実施形態に係るサポータ１（骨盤矯正器具の一例）を後方から見た図である。なお、本願における前後左右は、サポータ１がユーザの腰部に装着された状態において、ユーザから見た前後左右を意味する。
【００２５】
サポータ１は、人体接触サポータ２（第１帯状部材の一例）と、矯正翼３（第２帯状部材の一例）を備える。
【００２６】
人体接触サポータ２は、ユーザの腰周りに巻き付けられてユーザに装着される帯状の部材である。図２は、人体接触サポータ２の、装着時にユーザの腰部に対向する側を見た図である。
【００２７】
人体接触サポータ２の、装着時にユーザの腰部に対向する側の面（以下、「内側面」という）には、面ファスナ５（第１面ファスナの一例）が設けられている。また、人体接触サポータ２の、装着時にユーザの腰部に対向しない側の面（以下、「外側面」という）の概ね全領域には、面ファスナ６（第２面ファスナ及び第３面ファスナの一例）が設けられている。面ファスナ５は雄の面ファスナ（フック面）であり、面ファスナ６は雌の面ファスナ（ループ面）である。
【００２８】
人体接触サポータ２がユーザの腰周りに巻き付けられた状態で、面ファスナ５と面ファスナ６が結合されると、ユーザの腰周りに対する人体接触サポータ２の装着（固定ともいう）が行われることになる。面ファスナ５は、ユーザの腰周りの長さに応じた面ファスナ６上の任意な位置（腰周り方向における位置）で面ファスナ６と結合することができるため、人体接触サポータ２は、腰周りの長さが異なる様々なユーザに対し装着できる。
【００２９】
矯正翼３は、人体接触サポータ２の外側面に取り付けられる帯状の部材である。矯正翼３の上下方向（腰周りの方向に直交する方向）における長さは、人体接触サポータ２の上下方向における長さより短い。図３は、矯正翼３の、装着時にユーザの腰部に対向する側を見た図である。
【００３０】
矯正翼３は、ゴム等が編み込まれた素材でできており、少なくとも腰周りの方向（一の方向の一例）において、人体接触サポータ２の腰周りの方向における弾性も高い弾性を有する。矯正翼３の内側面の、ユーザの腰周りの方向における中央位置を含む領域には、面ファスナ９（第４面ファスナの一例）が設けられている。面ファスナ９は雄の面ファスナ（フック面）であり、ユーザの腰周りに装着された状態の人体接触サポータ２の面ファスナ６に対し、ユーザの背面の左右方向における中央位置を含む領域において結合される。
【００３１】
なお、面ファスナ９は、例えば矯正翼３が人体接触サポータ２から分離し紛失することを防止するために、矯正翼３を人体接触サポータ２に連結するために設けられており、ユーザの骨盤を矯正するための役割を果たすものではない。従って、面ファスナ９は必ずしも矯正翼３に設けられていなくてもよい。
【００３２】
矯正翼３の内側面の、ユーザの腰周りの方向における右端に近い位置には、右端から中央に向かう方向に、面ファスナ７ａ、面ファスナ７ｃ、面ファスナ７ｅ（右側面ファスナ群を構成する複数の面ファスナの一例）が離間して並んで設けられている。面ファスナ７ａ、面ファスナ７ｃ、面ファスナ７ｅは、いずれも雄の面ファスナ（フック面）である。面ファスナ７ａと面ファスナ７ｃの間には、腰周りの方向において間隔８ａの面ファスナが設けられていない領域が設けられている。また、面ファスナ７ｃと面ファスナ７ｅの間には、腰周りの方向において間隔８ｃの面ファスナが設けられていない領域が設けられている。
【００３３】
矯正翼３の内側面の、ユーザの腰周りの方向における左端に近い位置には、左端から中央に向かう方向に、面ファスナ７ｂ、面ファスナ７ｄ、面ファスナ７ｆ（左側面ファスナ群を構成する複数の面ファスナの一例）が並んで設けられている。面ファスナ７ｂ、面ファスナ７ｄ、面ファスナ７ｆは、いずれも雄の面ファスナ（フック面）である。面ファスナ７ｂと面ファスナ７ｄの間には、腰周りの方向において間隔８ｂの面ファスナが設けられていない領域が設けられている。また、面ファスナ７ｄと面ファスナ７ｆの間には、腰周りの方向において間隔８ｄの面ファスナが設けられていない領域が設けられている。
【００３４】
以下、面ファスナ７ａ、面ファスナ７ｃ、面ファスナ７ｅ、面ファスナ７ｂ、面ファスナ７ｄ、面ファスナ７ｆを総称して「面ファスナ７」という。
【００３５】
面ファスナ７の各々は、人体接触サポータ２の面ファスナ６の互いに離間した任意の複数の領域の各々に結合されて、矯正翼３の弾性によって、人体接触サポータ２に対し、面ファスナ７と面ファスナ６が結合している互いに離間した隣接する２つの領域を近付ける方向に力を加える役割を果たす。
【００３６】
図４は、ユーザの腰周りに装着された人体接触サポータ２の面ファスナ６に対し、面ファスナ７の各々が結合された状態のサポータ１を左上側から見た状態を模式的に示した図である。なお、図４において、ユーザの身体の図示は省略されている。
【００３７】
人体接触サポータ２には、矯正翼３の弾性により、面ファスナ７ａと面ファスナ６が結合している領域と、面ファスナ７ｃと面ファスナ６が結合している領域とを互いに近付ける方向に、矢印Ｘａで示される力が加えられる。また、人体接触サポータ２には、矯正翼３の弾性により、面ファスナ７ｃと面ファスナ６が結合している領域と、面ファスナ７ｅと面ファスナ６が結合している領域とを互いに近付ける方向に、矢印Ｘｃで示される力が加えられる。
【００３８】
また、図示は省略するが、人体接触サポータ２には、矯正翼３の弾性により、面ファスナ７ｂと面ファスナ６が結合している領域と、面ファスナ７ｄと面ファスナ６が結合している領域とを互いに近付ける方向に力が加えられる。また、人体接触サポータ２には、矯正翼３の弾性により、面ファスナ７ｄと面ファスナ６が結合している領域と、面ファスナ７ｆと面ファスナ６が結合している領域とを互いに近付ける方向に力が加えられる。
【００３９】
上記のように人体接触サポータ２に対し矯正翼３から与えられる力は、人体接触サポータ２を介して、人体接触サポータ２を装着しているユーザの骨盤に作用する。従って、例えば施術者が、ユーザの骨盤の歪みに応じて、骨盤の適切な領域に対し、適切な方向で適切な強さの力が作用するように、面ファスナ７の各々を面ファスナ６の望ましい位置に結合させると、ユーザの骨盤の歪みが矯正される。
【００４０】
なお、面ファスナ７の各々の、腰周りにおける長さは、１センチメートル以上であることが望ましい。
【００４１】
また、矯正翼３の左端部に最も近い面ファスナ７ａは、面ファスナ７ｃ及び面ファスナ７ｅと比較し、腰周りにおける長さが長い方が望ましい。そのような構成とすることで、例えば施術者は、人体接触サポータ２の面ファスナ６に対する面ファスナ７ａの結合の位置をまず定めて、その点を基点とし、面ファスナ６に対する面ファスナ７ｃ及び面ファスナ７ｅの結合の位置を、必要に応じて面ファスナ６に対する着脱を繰り返しながら調節することで、容易に、サポータ１をユーザの骨盤の歪みに応じた矯正機能を発揮する状態とすることができる。
【００４２】
同様に、矯正翼３の右端部に最も近い面ファスナ７ｂは、面ファスナ７ｄ及び面ファスナ７ｆと比較し、腰周りにおける長さが長い方が望ましい。そのような構成とすることで、例えば施術者は、人体接触サポータ２の面ファスナ６に対する面ファスナ７ｂの結合の位置をまず定めて、その点を基点とし、面ファスナ６に対する面ファスナ７ｄ及び面ファスナ７ｆの結合の位置を、必要に応じて面ファスナ６に対する着脱を繰り返しながら調節することで、容易に、サポータ１をユーザの骨盤の歪みに応じた矯正機能を発揮する状態とすることができる。
【００４３】
また、間隔８ａ、間隔８ｃ、間隔８ｂ、間隔８ｄの各々は、１センチメートル以上であることが望ましい。ただし、例えば、間隔８ａ及び間隔８ｂと、間隔８ｃ及び間隔８ｄとは、互いに同じであってもよいし、互いに異なっていてもよい。また、男性と女性で骨盤の大きな形状が異なる傾向があるため、男性用のサポータ１と女性用のサポータ１とにおいて、それらの間隔を異ならせてもよい。同様に、ユーザの年齢や身長に応じて、それらの間隔を異ならせてもよい。
【００４４】
上述したサポータ１によれば、面ファスナ７の各々を、面ファスナ６の互いに離間した任意の複数の領域に結合させることができるため、ユーザによって異なる骨盤の歪みに応じた、骨盤の適切な領域に対し、適切な方向に、適切な強さの力を加えることで、そのユーザの骨盤の歪みを効果的に矯正することができる。
【００４５】
［変形例］
上述した実施形態に係るサポータ１は本発明の実施の一例であって、本発明の技術的思想に基づく限り、サポータ１は様々に変形されてよい。以下にそれらの変形の例を示す。
【００４６】
（１）上述した実施形態において、矯正翼３は面ファスナ９により着脱可能に人体接触サポータ２に取り付けられる。これに変えて、矯正翼３が、例えば縫合や接着等により、人体接触サポータ２に固着されていてもよい。
【００４７】
（２）上述した実施形態において、人体接触サポータ２の背面の左右方向における中央位置から左右に延伸する矯正翼３は、１本の帯状の部材であるが、矯正翼３が、例えば左矯正翼３Ｌと右矯正翼３Ｒのように２つの分離された部材で構成されていてもよい。
【００４８】
（３）上述した実施形態において、面ファスナ６は雌の面ファスナ（ループ面）であり、その他の面ファスナ（面ファスナ５、面ファスナ９、面ファスナ７）は雄の面ファスナ（フック面）であるものとしたが、これらが逆であってもよい。また、これらの面ファスナが雌雄の区別のない面ファスナであってもよい。
【００４９】
（４）上述した実施形態において、矯正翼３に設けられる面ファスナ７の数は左右各々に３つ（合計６つ）である。面ファスナ７の左右各々における数は２つ以上であればよく、３つでなくてもよい。例えば、矯正翼３の左右各々に４以上の面ファスナ７を、腰周り方向に並べて設けることにより、上述した実施形態に係るサポータ１よりもきめ細かい矯正能力を持つサポータを実現できる。
【００５０】
（５）上述した実施形態において、面ファスナ６は、面ファスナ５と結合し人体接触サポータ２をユーザの腰周りに装着する役割を果たす領域と、面ファスナ７の各々と結合し人体接触サポータに矯正翼３の弾性による力を加える役割を果たす領域を含むが、これらの領域は連続している。これに代えて、面ファスナ６が、面ファスナ５と結合し人体接触サポータ２をユーザの腰周りに装着する役割を果たす領域（第２面ファスナの一例）と、その領域から離間して設けられた、面ファスナ７の各々と結合し人体接触サポータに矯正翼３の弾性による力を加える役割を果たす領域（第３面ファスナの一例）とを含む構成であってもよい。
【００５１】
（６）上述した実施形態において、面ファスナ６は、矯正翼３の腰周りの方向における中央より右側に設けられている面ファスナ７ａ、面ファスナ７ｃ、面ファスナ７ｆの各々と結合する領域と、矯正翼３の腰周りの方向における中央より左側に設けられている面ファスナ７ｂ、面ファスナ７ｃ、面ファスナ７ｆの各々と結合する領域を含むが、これらの領域は連続している。これに代えて、面ファスナ６が、面ファスナ７ａ、面ファスナ７ｃ、面ファスナ７ｆの各々と結合する領域と、その領域から離間して設けられた、面ファスナ７ｂ、面ファスナ７ｃ、面ファスナ７ｆの各々と結合する領域とを含む構成であってもよい。
【産業上の利用可能性】
【００５２】
本発明に係る器具は、医療用のサポータの製造メーカ、ガードルやスパッツ等を製造する服飾メーカ等において製造され得る。また、本発明に係る器具は、接骨院やリハビリテーションを行う施設等において利用され得る。
【符号の説明】
【００５３】
１…サポータ、２…人体接触サポータ、３…矯正翼、５…面ファスナ、６…面ファスナ、７…面ファスナ、９…面ファスナ。
【図１】
2020044318.tif 000003
【図２】
2020044318.tif 000004
【図３】
2020044318.tif 000005
【図４】
2020044318.tif 000006